(57)【要約】【課題】プリズムを保持部材に対して接着剤や追加の部品を用いることなく保持でき、製造コストを低減することが可能なファインダ装置構造を提供すること。【解決手段】ファインダベースと、フォーカシングスクリーンと、前記フォーカシングスクリーンの射出面とは異なる方向に対してその表示面が配される情報表示装置と、前記フォーカシングスクリーンの射出方向と前記情報表示装置１５の表示方向を一致させるためのプリズムと、を備え、前記フォーカシングスクリーンと、前記情報表示装置と、前記プリズムはファインダベースに対して取り付けられ、前記プリズムは、ファインダベースに対して圧入されることにより前記情報表示装置の光軸方向の位置決めをされ、光軸に垂直な平面方向について前記情報表示装置と嵌合位置決めされることを特徴とする。【選択図】  図１
2015114517.tif 000002
【特許請求の範囲】
【請求項１】
ファインダベース（１００）と、
フォーカシングスクリーン（１１）と、
前記フォーカシングスクリーン（１１）の射出面とは異なる方向に対してその表示面が配される情報表示装置（１５）と、
前記フォーカシングスクリーン（１１）の射出方向と前記情報表示装置１５の表示方向を一致させるためのプリズム（１４）と、
を備え、
前記フォーカシングスクリーン（１１）と、前記情報表示装置（１５）と、前記プリズム（１４）はファインダベース（１００）に対して取り付けられ、
前記プリズム（１４）は、ファインダベース（１００）に対して圧入されることにより前記情報表示装置（１５）の光軸方向の位置決めをされ、光軸に垂直な平面方向について前記情報表示装置（１５）と嵌合位置決めされる
ことを特徴とするファインダ装置。
【請求項２】
前記プリズム（１４）は、その光軸方向位置決め面が、その光学有効面と同一面である
ことを特徴とする、請求項１に記載のファインダ装置。
【請求項３】
前記プリズム（１４）は、前記光軸方向位置決め面の逆側に、突起形状を有する
ことを特徴とする、請求項１又は請求項２に記載のファインダ装置。
【発明の詳細な説明】
【技術分野】
【０００１】
本発明は、ファインダ装置及びそれを用いた撮像装置に関し、特にファインダ装置にて用いられる光学部材の保持構造に関する。
【背景技術】
【０００２】
カメラ等の撮像装置には、被写体像を撮影者が観察するためにファインダ装置が備えられている。光学式ファインダ装置においては、撮影者が被写体像を確認しつつ撮影に必要な情報を確認するため、例えばバックライトと液晶パネルを一体化した情報表示装置が備えられているものが知られている。
【０００３】
このような情報表示装置の表示面は、ファインダ光学系を通して見たときに、フォーカシングスクリーンと同じ視度となる位置にあるのが望ましい。情報表示装置をフォーカシングスクリーンと同一面に配置できない場合、情報表示装置をフォーカシングスクリーンの結像面とは異なる方向に配設した上で、情報表示装置から射出された光をプリズムなどの光学素子によってフォーカシングスクリーンから射出される光の方向と一致させるのが一般的である。
【０００４】
このように、プリズムのような光学部品をファインダユニットの保持部材に固定する方法として、特許文献１では接着剤により固定する構造が開示されている。また、特許文献２ではカバー部材によって付勢力を発生させることで、光学部品を保持部材に対して固定する構造が開示されている。
【先行技術文献】
【特許文献】
【０００５】
【特許文献１】特開２０１２−８８６３３号公報
【特許文献２】特開２００１−２０９０９１号公報
【発明の概要】
【発明が解決しようとする課題】
【０００６】
特許文献１では、光学部品はファインダ装置の保持部材に対して接着剤を用いて固定される。このような固定方法は、光学部品を保持部材に対して強固に取り付けることができる反面、その製造工程において、光学部品を接着する手間が発生してしまう。また、特許文献２では、光学部品を保持部材に対して固定するために追加の部品が必要となる。
【０００７】
本発明は、係る事情に鑑み、プリズムを保持部材に対して接着剤や追加の部品を用いることなく保持でき、製造コストを低減することが可能な構造を提供することを目的とする。
【課題を解決するための手段】
【０００８】
上記目的を達成するために、本発明は、ファインダベースと、フォーカシングスクリーンと、前記フォーカシングスクリーンの射出面とは異なる方向に対してその表示面が配される情報表示装置と、前記フォーカシングスクリーンの射出方向と前記情報表示装置１５の表示方向を一致させるためのプリズムと、を備え、前記フォーカシングスクリーンと、前記情報表示装置と、前記プリズムはファインダベースに対して取り付けられ、前記プリズムは、ファインダベースに対して圧入されることにより前記情報表示装置の光軸方向の位置決めをされ、光軸に垂直な平面方向について前記情報表示装置と嵌合位置決めされることを特徴とするファインダ装置を提供する。
【発明の効果】
【０００９】
本発明によれば、接着剤を用いたり、部品を追加したりせず、プリズムをファインダベースに対して固定することが可能となる。
【図面の簡単な説明】
【００１０】
【図１】本実施例におけるファインダベースに情報表示装置を取り付ける際の構造を説明する、図８（ｃ）Ｂ−Ｂにおける断面図である。
【図２】本実施例におけるカメラシステムの構成を示す概略断面図である。
【図３】本実施例におけるファインダユニットの分解斜視図である。
【図４】本実施例におけるファインダユニットの中央断面図である。
【図５】本実施例における情報表示装置の分解斜視図である。
【図６】本実施例における情報表示装置の中央断面図である。
【図７】本実施例における三角プリズムの斜視図である。
【図８】本実施例におけるファインダベースの斜視図である。
【図９】本実施例におけるファインダベースに三角プリズムを取り付ける際の構造を説明する、図８（ｃ）Ａ−Ａにおける断面図である。
【発明を実施するための形態】
【００１１】
以下に、本発明の好ましい実施の形態を、添付の図面に基づいて詳細に説明する。
【００１２】
［実施例］
本発明の実施形態の一例として、デジタル一眼レフカメラの構成について図２を参照しつつ説明する。以降各図中に示されるＸ、Ｙ、Ｚの各方向は、撮影光軸方向をＺ軸とし、Ｚ軸に垂直な平面中にあり、それぞれ直角な方向をＸ、Ｙ軸として定義している。
【００１３】
図２は本実施形態におけるカメラシステムの構成を示す概略断面図であり、カメラ本体（撮像装置）１と、カメラ本体１に着脱可能に装着される撮影レンズ２とを有している。撮影レンズ２内には、撮影光学系２ａおよび露光量を調節するための絞り２ｂが設けられている。撮影光学系２ａは図２中で一枚のレンズとして表されているが、実際は複数のレンズ群からなる光学系である。撮影レンズ２は、公知のマウント機構を介してカメラ本体１に電気的、機械的に接続される。焦点距離の異なる撮影レンズ２をカメラ本体１に装着することによって、様々な画角の撮影画像を得ることが可能である。また、撮影レンズ２では、不図示の駆動機構を介して撮影光学系２ａの一部の要素であるフォーカスレンズを光軸方向に移動させることで、撮影光学系２ａの焦点調節を行う。
【００１４】
本実施例で説明するカメラは、ＣＣＤあるいはＣＭＯＳセンサなどの撮像素子３を用いたデジタルカメラであり、撮像素子３を単発的または連続的に駆動して、静止画像または動画像の画像信号を得る。撮像素子３により得られた動画像、静止画像は、カメラ本体１の背面に設けられたディスプレイ４に表示することで、撮影者は撮影結果を確認できる。また、撮影光学系２ａから撮像素子３に至る光路中には、撮像素子３上に被写体像の必要以上に高い空間周波数成分が伝達されないように撮影光学系２ａのカットオフ周波数を制限する光学ローパスフィルタ５が設けられている。光学ローパスフィルタ５の前に設けられた６は撮像素子３に入射する光量を調節するフォーカルプレーンシャッタで、複数の遮光羽根で構成された先幕と後幕を有する。
【００１５】
７は可動型のハーフミラーであり、撮影光学系２ａを通して入射する光束のうち一部を反射させるとともに、残りを透過させることで、一つの光路を二つの光路に分割する。ハーフミラー７の先には可動型のサブミラー８（全反射ミラー）が設けられており、ハーフミラー７を透過した光束を反射させて焦点検出ユニット９に導いている。焦点検出ユニット９は、サブミラー８にて反射された光束を受光して位相差検出方式による焦点検出を行う。ハーフミラー７及びサブミラー８は、撮影時には光路から退避する。
【００１６】
ハーフミラー７によって分割された光路のうち、図２中＋Ｙ方向へ折り曲げられた光は、ファインダユニット（ファインダ装置）１０へ入射する。図２中の点線で囲んだ範囲がファインダユニット１０である。ファインダユニット１０へ入射した光束は、フォーカシングスクリーン１１上に結像する。フォーカシングスクリーン１１に結像した像は、中空ペンタミラー１２を介して向きを変えられ、複数のレンズからなるファインダ光学系１３を介して撮影者が確認することができる。
【００１７】
ファインダユニット１０内には、撮影者がファインダを覗きながらでも撮影に必要な情報を確認するための、情報表示装置１５が設けられている。情報表示装置１５に表示された情報は、三角プリズム１４、中空ペンタミラー１２、ファインダ光学系１３を介して、フォーカシングスクリーン１１上の像と同じように撮影者に視認される。
【００１８】
図３、図４は本発明の実施形態である一眼レフカメラに備えられているファインダユニット１０の構成を説明するための図である。図３はファインダユニット１０の分解斜視図、図４はＹＺ平面に関する断面図である。
【００１９】
ファインダユニット１０はファインダベース１００に対して各部品が取り付けられることで構成される。ファインダベース１００は樹脂（ガラス強化ポリカーボネート）成形により作製され、各部材を取り付けるための構造が形成されている。
【００２０】
１０１は金属製のばね部材であり、ファインダベース部材１００との間にフォーカシングスクリーン１１を挟むことで、フォーカシングスクリーン１１をファインダベース１００に対して保持するための部材である。
【００２１】
１０２は視野枠であり、略矩形の開口が二箇所形成されている板状部材である。本実施例では黒色ＰＥＴシートをプレス加工することで製作される。視野枠１０２には二つの開口があり、視野開口１０２ａと情報表示開口１０２ｂがある。視野開口１０２ａはフォーカシングスクリーン１１上から中空ペンタミラー１２に入射する光束のサイズを規制し、撮像素子３にて得られる画像のサイズと略一致させるためのものである。一方情報表示開口１０２ｂは情報表示装置１５から三角プリズム１４を経由して到達する光線のうち、不必要な表示部領域外の光線を遮光するためのものである。
【００２２】
３０１、３０２、３０３はファインダ光学系１３を構成するレンズであり、それぞれ中空ペンタミラー１２から近い順に、第一、第二、第三レンズと呼称する。第三レンズはもっとも撮影者側に配される、いわゆる接眼レンズである。
【００２３】
三つのレンズのうち、第一レンズ３０１、第三レンズ３０３は、ファインダベース１００に対して直接取り付けられる。対して、第二レンズ３０２は第二レンズ保持部材１０３を介して、ファインダベース１００に対して取り付けられる。第二レンズ保持部材１０３の構造に関する説明は省略するが、Ｚ軸方向にスライド可能な構成となっている。第二レンズはいわゆる視度調整レンズであり、Ｚ軸方向に移動することでファインダ光学系１３の視度を調整することが可能となっている。
【００２４】
１０４は上蓋部材であり、ファインダベース１００同様に樹脂成形によって作製される部材である。上蓋部材１０４はファインダベース１００に取り付けられた中空ペンタミラー１２、第一レンズ３０１、第二レンズ３０２と第二レンズ保持部材１０３が脱落しないようにするためのものである。さらに、測光センサや測光レンズ、測距点指示のためのＬＥＤ光学系が搭載されるが、詳細な説明は省略する。
【００２５】
１０５は接眼枠であり、ファインダベース１００に対して取り付けられる。接眼枠１０５は、第三レンズ３０３を保護する役割を担う。
【００２６】
１４は三角プリズムであり、光学樹脂の射出成形により作製される。三角プリズム１４は情報表示装置１５の前面（−Ｚ方向）、視野枠１０２の下方（−Ｙ方向）に配される。その役割は、情報表示装置１５に表示された情報を撮影者が確認できるよう、情報表示装置１５から射出される光路を折り曲げることである。フォーカシングスクリーン１１に対して垂直な方向に配された情報表示装置１５の光路を略直角に折り曲げることで、フォーカシングスクリーン１１と光軸方向を合わせるようにしている。情報表示装置１５は、撮影者がファインダ光学系１３を通して見たとき、フォーカシングスクリーン１１と略等しい視度となる位置にその表示面が配されている。
【００２７】
図５、６を参照しつつ、本実施例における情報表示装置１５の構造について、詳細に説明する。図５は、情報表示装置１５の分解斜視図であり、図６は、この情報表示装置のＹＺ平面に関する中央断面図である。
【００２８】
２００は枠部材であり、情報表示装置１５を構成する各部材を収納する部材である。黒色の遮光材料によって形成することによって、不要な光線を遮光する働きも担っている。枠部材２００は、ファインダベース１００、三角プリズム１４、情報表示装置１５の位置関係を決める部材でもある。−Ｚ方向に突出した四つの軸のうち、２００ａの二箇所は、枠部材２００と三角プリズム１４のＸＹ方向に関する位置決め軸であり、２００ｂの二箇所は、枠部材２００とファインダベース１００のＸＹ方向に関する位置決め軸である。２００ｃは、枠部材２００とファインダベース１００のＺ方向に関する位置決め面である。
【００２９】
２０７は、表裏に導体層を有する両面フレキシブルプリント基板である。反射シート２０６側にＬＥＤ等からなる情報表示装置１５の光源２０１が実装されており、異方性導電ゴム２０３と電気的に導通するための導体露出部２０７ａが形成されている。また、光源２０１の実装面と逆面にベタパターンを設けることにより、高い遮光性能を持っている。
【００３０】
液晶表示パネル２０２は、上ガラス２０２ａと下ガラス２０２ｂの間に不図示の液晶を封止している。上ガラス２０２ａには表面偏光板２０２ｃが、下ガラス２０２ｂには裏面偏光板２０２ｄが、それぞれ貼り付けられている。上ガラス２０２aは下ガラス２０２ｂより−Ｙ方向に突出しており、上ガラス２０２ａの＋Ｚ側には不図示の透明電極が形成されている。これを通じて外部から電気的に駆動されると、封止された液晶の状態変化により所定の範囲が透光状態となる。これを利用して各種の表示を行う。
【００３１】
２０３は、液晶表示パネル２０２の透明電極部とフレキシブルプリント基板２０７の導体露出部２０７ａとの電気的導通を取るための異方性導電ゴムである。
【００３２】
２０４は、光源２０１からの光線を均一に拡散させるための拡散板であり、遮光シートを貼付することや黒色のスクリーン印刷を施すことによって、意図した表示領域以外への光線を遮光する機能を付加することも可能である。
【００３３】
導光板２０５は、液晶表示パネル２０２とフレキシブルプリント基板２０７の間に液晶表示パネル２０２と略平行に配置される。導光板２０５には、＋Ｚ側の面、すなわち液晶表示パネル２０２と逆側の面に微細な凹凸が設けられており、この凹凸の形成密度を変えることによって、端部に設けられた入射面から入射した光を液晶表示パネル側へほぼ均一に射出する。
【００３４】
反射板２０６は、光を反射するシートで光源２０１からの光のうち導光板２０５の入射面以外に向かう光を導光板２０５に向けて反射する。それと同時に導光板２０５から漏れ出た光を再び導光板２０５に向けて反射することで光線の利用効率を高める働きも担っている。反射板２０６には、例えば高反射率で不透明の白色材料が用いられる。
【００３５】
２０８は、先端に向けて開口幅が徐々に広がる誘い込み形状を有するコの字形の押さえ板であり、ステンレス等の薄い金属板によって形成される。この押さえ板２０８が、液晶表示パネル２０２の透明電極部とフレキシブルプリント基板の導体露出部２０７ａを、異方性導電ゴム２０３を介して圧接し、電気的に導通させるとともに、枠部材２００に収納された各部材を挟持する。
【００３６】
情報表示装置１５から意図した方向へ発せられた光線は、三角プリズム１４によって所定の方向に反射させられてファインダ光路内に入光し、ファインダ内の表示として用いられる。
【００３７】
ここから、三角プリズム１４、ファインダベース１００の構造について説明する。
【００３８】
図７は三角プリズム１４の詳細を説明するための図であり、図７（ａ）は三角プリズム１４を−Ｚ側から見た、図７（ｂ）は＋Ｚ側から見た斜視図である。
【００３９】
三角プリズム１４は所望の屈折率、分散を有する透明な樹脂を成形することで作製される光学素子であり、略三角柱形状を有する。三角柱の各側面は入射面１４ａ、反射面１４ｂ、射出面１４ｃで形成される。情報表示装置１５から射出された光は、入射面１４ａから三角プリズム１４内に入射し、反射面１４ｂで反射され、射出面１４ｃから射出される。三角柱の両端面部からは、耳部１４ｄが突出して設けられている。耳部の−Ｚ側面には、半球状の突起部１４ｅと、情報表示装置１５とＸＹ方向に関して位置決めするための穴部１４ｆがある。取り付け耳部１４ｄにある半球状の突起部１４eが形成されている逆側の面（＋Ｚ側）は、Ｚ方向の位置決め面１４ｇであり、入射面１４ａとほぼ同一面として形成されている。
【００４０】
図８は、ファインダベース１００の三角プリズム１４を取り付ける箇所を説明するための図であり、図８（ａ）、（ｂ）はそれぞれ＋Ｙ、−Ｙ方向から見た斜視図、図８（ｃ）は図８（ａ）の＋Ｙ側の溝部１００ｂ付近を拡大した図である。
【００４１】
三角プリズム１４の三角柱部を収納するための収納部１００ａがあり、そのＸ方向両側には、−Ｙ方向への凹形状となっている溝部１００ｂがある。溝部１００ｂは図８（ａ）、（ｃ）中の点線に囲まれた箇所である。溝部１００ｂの＋Ｚ方向側側面は、三角プリズム１４とのＺ方向位置決め面１００ｃである。溝部１００ｂのＺ方向寸法（溝幅）は、三角プリズムのＺ方向位置決め面１４ｇから突起部１４ｅのＺ方向寸法に対して、数十μｍ程度小さくなるように設定されている。
【００４２】
１００ｄは情報表示装置１５に対するＸＹ方向位置決め穴、１００eはＺ方向位置決め面である。
【００４３】
ファインダベース１００に対して三角プリズム１４を取り付ける手順を、図９を参照しつつ説明する。図９は図８（ｃ）における一点鎖線Ａ−Ａに関するＹＺ方向断面図である。
【００４４】
図９（ａ）に示すように、三角プリズム１４はファインダベース１００に対して＋Ｙ方向から挿入され、取り付けられる。先述の通り、ファインダベースの溝部１００ｂのＺ方向寸法は、三角プリズム１４のＺ方向位置決め面１４ｇから突起部１４ｅのＺ方向寸法に対して小さいため、ファインダベース１００に対して三角プリズム１４は圧入されることになる（図９（ｂ））。ガラス強化ポリカーボネート製のファインダベース１００に対し、三角プリズム１４は剛性の低い光学樹脂製であるため、圧入時には三角プリズム１４の方が変形しつつ嵌入されることとなる。突起部１４ｅが変形することで、三角プリズム１４には図９（ｂ）中の矢印方向（＋Ｚ方向）への荷重が作用し、三角プリズムのＺ方向位置決め面１４ｇとファインダベースのＺ方向位置決め面１００ｃは当接することとなる。変形するのは、三角プリズムの突起部１４ｅであるため、三角プリズムの光学面１４ａ、ｂ、ｃにおいてはひずみの発生が抑えられるため、三角プリズム１４の光学性能が保たれる。
【００４５】
なお、三角プリズムのＺ方向位置決め面１４ｇは、その入射面１４ａとほぼ同一の面に形成されている。これにより、三角プリズムのＺ方向位置決め面１４ｇを光学有効面以外の箇所に配設した場合に比べて、ファインダベース１００から三角プリズム１４の光学有効面に至るまでに累積する誤差が少なくなり、結果として精度のよい組立が可能となる。
【００４６】
図９（ｂ）に示す状態では、三角プリズム１４はファインダベース１００に対してＺ方向の位置決めがなされただけであり、ＸＹ方向に関しては位置決めがなされていない。また、三角プリズム１４のＺ方向圧入はごく微小な干渉によるものであるため、落下などによって三角プリズム１４に対して負荷が作用する、三角プリズム１４はＸＹ方向に容易に移動し、ファインダベース１００から脱落してしまう。干渉量を増やすことで、圧入による保持荷重を増やすことも可能であるが、圧入が困難になり、さらに圧入により三角プリズム１４にひずみが発生することで三角プリズム１４の光学性能が低下してしまう懸念がある。
【００４７】
本実施例においては、三角プリズム１４の光学性能を保ちつつＸＹ方向の位置決めと保持をするため、情報表示装置１５を利用してこの問題を解決している。その構造の詳細を図１を参照しつつ説明する。
【００４８】
図１は、図８（ｃ）中の一点鎖線Ｂ−Ｂにおける断面図であり、三角プリズム１４がファインダベース１００に圧入された後、図１（ａ）は情報表示装置１５を取り付けている様子を示しており、図１（ｂ）は情報表示装置の取り付けが完了した状態である。
【００４９】
情報表示装置１５はファインダベース１００に対して＋Ｚ方向から取り付けられる。先述の通り、情報表示ユニット１５は枠部材２００にファインダベース１００と三角プリズム１４に対する位置決めとなる部位２００ａ、ｂ、ｃが設けられており、取り付けの際、枠部材のファインダベースに対するＸＹ方向位置決め軸２００ｂと、ファインダベースの情報表示装置に対するＸＹ方向位置決め穴１００ｄが嵌合し、また、枠部材のファインダベースに対するＺ方向位置決め面２００ｃと、ファインダベースの情報表示装置に対するＺ方向位置決め面１００ｅが当接することで、情報表示装置１５とファインダベース１００の位置決めがなされる。
【００５０】
このとき、枠部材の三角プリズムのＸＹ方向位置決め穴１４ｆと、枠部材の三角プリズムに対するＸＹ方向位置決め軸２００ａも同時に嵌合する（図１（ｂ））。これにより、図９（ｂ）の段階ではＸＹ方向の位置決めがなされていなかった三角プリズム１４も、枠部材２００を介してファインダベース１００に対してその位置が決められる。また、三角プリズム１４と枠部材２００の嵌合は三角プリズム１４の抜け止めとしての役割を果たすことになる。
【００５１】
ここまでで述べたように、本実施例のファインダユニット１０は、各部品がファインダベース１００に対して取り付けられる構成となっている。ファインダユニット１０の表示性能は、ファインダベース１００と各光学部品の位置関係により保証される。三角プリズム１４、情報表示装置１５も同様にして、その表示性能を保証するためにファインダベース１００に対して高い精度の位置決めが要求される。三角プリズム１４は、ファインダベース１００に対してＺ方向は圧入により、ＸＹ方向は情報表示装置を介して嵌合により、その位置精度が保証される。これにより、接着剤や固定用の部材を用いることなく、三角プリズム１４をファインダベース１００に取り付けることが可能となっている。
【００５２】
この後、ファインダベース１００に対して、視野枠１０２、フォーカシングスクリーン１１とフォーカシングスクリーン保持ばね１０１を組み込むことで、ファインダユニット１０の一次結像面が完成する。フォーカシングスクリーン１１には撮影レンズ２を介して入射した光束が結像され、＋Ｙ方向から覗いたときに被写体の倒立像が観察できる。視野枠の視野開口１０２ａにより不要な領域の光線が遮光されることで、撮像素子３にて得られる被写体像と略等しい像が確認できる。情報表示装置１５に表示された情報も、三角プリズム１４を介して＋Ｙ方向へ射出され、視野枠の情報表示開口１０２ｂにより必要な部分の光線だけが射出され、被写体像とともに＋Ｙ方向から視認可能となる。
【００５３】
ここから中空ペンタミラー１２、ファインダ光学系を構成するレンズ群３０１、３０２、３０３、上蓋部材１０４、接眼枠１０５などを組み込むことで、図４のファインダユニット１０が完成する。一次結像面に結像した被写体像及び情報表示装置１５に表示される情報は、中空ペンタミラー１２により折り曲げ、反転され、ファインダ光学系１３を通して＋Ｚ方向から正立像として視認可能となる。
【００５４】
以上、本発明の好ましい実施形態について説明したが、本発明はこれらの実施形態に限定されず、その要旨の範囲内で種々の変形及び変更が可能である。
【符号の説明】
【００５５】
１１  フォーカシングスクリーン
１４  三角プリズム
１５  情報表示装置
１００  ファインダベース
【図１】
2015114517.tif 000003
【図２】
2015114517.tif 000004
【図３】
2015114517.tif 000005
【図４】
2015114517.tif 000006
【図５】
2015114517.tif 000007
【図６】
2015114517.tif 000008
【図７】
2015114517.tif 000009
【図８】
2015114517.tif 000010
【図９】
2015114517.tif 000011